(57)【要約】      （修正有）【課題】ケーブルが異常気象で踊り出し、装荷具より逸脱するのを、より簡単に、より確実に防止する。【解決手段】  一連の高抗張力線からなり、左回り螺旋部１２と右回り螺旋部１１とが、直線もしくはこれに近似した曲率半径の大きい円弧状曲線からなる長尺の張出し部１３ａを有する中間部１３を介して、軸線に沿って交互に連なり構成されているケーブル装架具１０に於いて、軸線から見て左右の異なる側に張り出された中間部１３、１３の間に、ケーブル逸脱防止用線材１６を前記螺旋部で想定される円筒の外周を包被するように掛け渡して、その端部を該中間部１３、１３に巻き付けて固定する構成を間歇的に設けたケーブル装架具のケーブル逸出防止方法である。【選択図】  図１
2008032776.tif 000002
【特許請求の範囲】
【請求項１】
一連の高抗張力線からなり、螺旋の巻数が同一の交互に設けられた左回り螺旋部と右回り螺旋部と、両螺旋部間において左右交互に張り出される中間部とからなり、該中間部は直線もしくはこれに近似した曲率半径の大きい円弧状曲線からなる長尺の張出し部をその両側の螺旋部から突出する腕部に連接してなるケーブル装架具を用い、メッセンジャーワイヤに架設するとともに、ケーブルを装荷した後、
ケーブル逸脱防止用線材を、少なくとも該中間部を包被し、かつ前記複数の螺旋で想定される円筒の外周を包被するするように取り付け、その端部をケーブル装架具に巻き付けて固定することを、該ケーブル装架具の全長において間歇的に設けることを特徴とするケーブル装架具に於けるケーブル逸脱防止方法。
【請求項２】
請求項１記載のケーブル装架具を用い、メッセンジャーワイヤに架設するとともに、ケーブルを装荷した後、
長手方向に隣接する左右の異なる側に張出された長尺の張出し部を有する２つの中間部の長尺の張出し部において、
互いに遠い側で螺旋部から突出する腕部にケーブル逸脱防止用線材の端部を巻き付けて固定することを特徴とする請求項１記載のケーブル装架具に於けるケーブル逸脱防止方法。
【請求項３】
請求項１記載のケーブル装架具を用い、メッセンジャーワイヤに架設するとともに、ケーブルを装荷した後、
左右の異なる側に張出された長尺の張出し部を有する２つの中間部であって、長手方向に次隣接の左右の中間部に於ける長尺の張出し部にケーブル逸脱防止用線材の端部を巻き付けて固定することを特徴とする請求項１記載のケーブル装架具に於けるケーブル逸脱防止方法。
【請求項４】
請求項１記載のケーブル装架具を用い、メッセンジャーワイヤに架設するとともに、ケーブルを装荷した後、
選択された張出し部に、ケーブル逸脱防止用線材を複数の該螺旋部の形成する円弧から想定される円筒部の外側を包被するようにループにしてその両端を巻き付けて固定することを特徴とする請求項１に記載のケーブル装架具に於けるケーブル逸脱防止方法。
【請求項５】
請求項１記載のケーブル装架具を用い、メッセンジャーワイヤに架設するとともに、ケーブルを装荷した後、
選択された張出し部に、ケーブルの逸脱防止用線材を複数の該螺旋部の形成する円弧から想定される円筒部の外側を包被するようにループにしてその一端を選択された張出し部に、他の一端をその両側に位置する螺旋部に巻き付けて固定することを特徴とする請求項１に記載のケーブル装架具に於けるケーブル逸脱防止方法。
【発明の詳細な説明】
【技術分野】
【０００１】
本発明は、主として電柱間などに架設したメッセンジャーワイヤに取り付けられ、該メッセンジャーワイヤに沿って光ファイバーケーブル、通信ケーブル、電力ケーブル等の各種のケーブルを架設するためのケーブル装架具に於ける装荷したケーブルの逸脱防止方法に関するものである。
特に一連の高抗張力線からなり、螺旋の巻数が同一の右回り螺旋部と左回り螺旋部と、両者の間の直線もしくはこれに近似する曲率半径の大きい円弧状曲線からなる軸線と略平行状態の長尺の張出し部を有する中間部とからなり、該中間部が上面から見て長手方向に左右交互に張出して設けられて構成されているケーブル装架具に於ける装荷したケーブルの逸脱防止方法に関するものである。
【背景技術】
【０００２】
一般に、光ファイバーケーブル、通信用ケーブル、電力ケーブル等の各種ケーブルを電柱間などの区間に架設する場合は、その区間にメッセンジャーワイヤを架設して、これにケーブルハンガー等のケーブル装架具を取り付け、該ケーブル装架具に架設すべきケーブルを装架することで、該ケーブルを架設することがなされている。
【０００３】
近時ケーブル装荷に有利な方法として、左右交互回りの螺旋を利用したケーブル装架具が生み出された。その方法は、主として電柱間などに架設したメッセンジャーワイヤに取り付けられ、該メッセンジャーワイヤに沿って光ファイバーケーブル、通信ケーブル、電力ケーブル等の各種のケーブルを架設するためのケーブル装架具を用いるものであって、特に、左回りの螺旋部と右回りの螺旋部とをＵ字状の反転部を介して左右交互回りの螺旋部を設けることにより、ケーブルの装荷が迅速確実に行われる手段として効果が評価されている。
【０００４】
【特許文献１】特開２００５−１６８２８４
【０００５】
引用文献１のような左右交互回り螺旋部を有する螺旋状支持具を用いると、半円弧状（Ｕ字状）の反転部が螺旋巻きの方向を反転させることで、従来のように一方の端から順々にメッセンジャーワイヤを内部に取り込む必要がなく、該半円弧状の反転部を設けることにより、実質的に螺旋部のメッセンジャーワイヤへの取り込み作業が迅速にでき、更に半円弧状の反転部を開いた形状にすれば、引き伸ばすことがなく、架設できること、軸線から見た側面において、左右交互回り螺旋部によって作られる円周の上方に反転部を突出させることで、風圧の影響でケーブルが大きく振れても、該反転部の外側に回り込みにくい旨述べられている。
【０００６】
上記の構成は、異常気象等に対しては一応の効果はあるが、なお不安もあり、別に優れたケーブル装荷具の出現が待望された。
【０００７】
これに対して本発明者らが先に生み出した特願２００６―１５５５１７号では、上記反転部を長尺の直線状として張出すことにより、軸線方向の側面で見たときに、該張出し部を螺旋の構成する円弧を基準として想定される円筒より離隔することで、装荷されたケーブルが異常気象で踊り出し装荷具より逸脱するのを防止することが試みられ、一応の成果を収めている。
【発明の開示】
【発明が解決しようとする課題】
【０００８】
しかし、なおより簡単で、ケーブルが異常気象で踊り出し、装荷具より逸脱するのをより確実に防止する手段の出現は待望されるところである。
【課題を解決するための手段】
【０００９】
本発明は上記問題点を解決するために、鋭意検討の結果なされたもので、
請求項１の発明は、
一連の高抗張力線からなり、螺旋の巻数が同一の交互に設けられた左回り螺旋部と右回り螺旋部と、両螺旋部間において左右交互に張り出される中間部とからなり、該中間部は直線もしくはこれに近似した曲率半径の大きい円弧状曲線からなる長尺の張出し部をその両側の螺旋部から突出する腕部に連接してなるケーブル装架具を用い、メッセンジャーワイヤに架設するとともに、ケーブルを装荷した後、
ケーブル逸脱防止用線材を、少なくとも該中間部を包被し、かつ前記複数の螺旋で想定される円筒の外周を包被するするように取り付け、その端部をケーブル装架具に巻き付けて固定することを、該ケーブル装架具の全長において間歇的に設けることを特徴とするケーブル装架具に於けるケーブル逸脱防止方法である。
【００１０】
請求項２の発明は、
請求項１記載のケーブル装架具を用い、メッセンジャーワイヤに架設するとともに、ケーブルを装荷した後、
長手方向に隣接する左右の異なる側に張出された長尺の張出し部を有する２つの中間部の長尺の張出し部において、
互いに遠い側で螺旋部から突出する腕部にケーブル逸脱防止用線材の端部を巻き付けて固定することを特徴とする請求項１記載のケーブル装架具に於けるケーブル逸脱防止方法である。
【００１１】
請求項３の発明は、
請求項１記載のケーブル装架具を用い、メッセンジャーワイヤに架設するとともに、ケーブルを装荷した後、
左右の異なる側に張り出された長尺の張出し部を有する２つの中間部であって、長手方向に次隣接の左右の中間部に於ける長尺の張出し部にケーブル逸脱防止用線材の端部を巻き付けて固定することを特徴とする請求項１記載のケーブル装架具に於けるケーブル逸脱防止方法である。
【００１２】
請求項４の発明は、
請求項１記載のケーブル装架具を用い、メッセンジャーワイヤに架設するとともに、ケーブルを装荷した後、
選択された張出し部に、ケーブルの逸脱防止用線材を複数の該螺旋部の形成する円弧から想定される円筒部の外側を包被するようにループにしてその両端を巻き付けて固定することを特徴とする請求項１に記載のケーブル装架具に於けるケーブル逸脱防止方法である。
【００１３】
請求項５の発明は、
請求項１記載のケーブル装架具を用い、メッセンジャーワイヤに架設するとともに、ケーブルを装荷した後、
選択された張出し部に、ケーブルの逸脱防止用線材を複数の該螺旋部の形成する円弧から想定される円筒部の外側を包被するようにループにしてその一端を選択された張出し部に、他の一端をその両側に位置する螺旋部に巻き付けて固定することを特徴とする請求項１に記載のケーブル装架具に於けるケーブルの逸脱防止方法である。
【発明の効果】
【００１４】
本発明のケーブル装架具のケーブル逸脱防止方法によれば、右回り螺旋部、左回り螺旋部の間に、直線もしくはこれに近似する曲率半径の大きい円弧状曲線からなる長尺の張出し部を有する中間部としたケーブル装架具であっても、一応のケーブル逸脱防止効果が認められるが、なお、装荷するケーブルのサイズや本数などによっては、異常風圧や異常振動などの原因によるケーブルの揺動、跳躍などで、該長尺の張出し部を乗り越えてケーブルが逸脱することが懸念されるが、本発明は全くその懸念を解消するものである。
【００１５】
すなわち、上記のようなケーブル装荷具を用いてメッセンジャーワイヤに架設し、ケーブルを装荷する場合に、
別の線材例えば高抗張力線をケーブル逸脱防止用線材として用い、前記複数の螺旋で想定される円筒の外周を包被するように掛け渡して、その端部を該中間部の長尺の張出し部を包被するようにして巻き付けてケーブル装荷具に固定する構成は、長尺の張出し部の有するケーブル逸脱防止機能に加えて、なお、ケーブルがスネーク状態に踊り出し、中間部より逸脱するのをより完全に防止できるものである。
【発明を実施するための最良の形態】
【００１６】
本発明によるケーブル装架具に於けるケーブル逸脱防止方法を実施するための最良の形態について、図面を参照しつつ詳細に説明する。図１〜図２、図４〜図５における矢印は本図に於ける螺旋の回り方向を定めるために矢視方向を示したものである。
【００１７】
図１〜図３は本発明によるケーブル装架具１０に於けるケーブルの逸脱防止構造一例で、ケーブル装架具１０の基本構造は、右回り螺旋部１１、左回り螺旋部１２の間には中間部１３が、左回り螺旋部１２と右回り螺旋部１１の間には中間部１３が設けられ、該中間部１３は中央に長尺の張出し部１３ａを有し，その両側は螺旋部から伸長する張出し用腕部１３ｂ、１３ｂを有している。
図において、隣接する該中間部１３、１３は互いに遠い側で螺旋部から伸長する張出し用腕部１３ｂ、１３ｂに、ケーブル逸脱防止用線材１６の端部を巻き付けて巻付け部１６ａを構成して固定してある。
このケーブル逸脱防止用線材１６は、図３で理解できるように、螺旋部により想定される円筒１５の外方向にカーブして取り付けられ、螺旋部内にあるケーブルが異常気象などで踊り出すことがあっても、螺旋の無い中間部が広角に構成されていることから、その中間部の長尺の張出し部１３ａ，１３ａからケーブルが逸脱しにくい本質的構造に加えて、かかる構造でもなおかつ危惧される非常に大きい異常気象等によるケーブルの踊り出し傾向があっても、前記ケーブル逸脱防止用線材１６により、ケーブルが該長尺の張出し部を越えて外部に逸脱するのを防止できる。
また、この構造はケーブル装架具の全長のうち、所定の箇所に間歇的に設ければ、ケーブルが局部的に異常屈曲することはありえないので、全長に於けるケーブル装架具のケーブル逸脱防止に寄与することができる。
【００１８】
図４〜図６は本発明によるケーブル装架具１０のケーブル逸脱防止構造の一例で、右回り螺旋部１１、左回り螺旋部１２、右回り螺旋部１１と左回り螺旋部１２の間の長尺の中間部１３、左回り螺旋部１２と右回り螺旋部１１の間の長尺の中間部１３を有し，隣接する該左右反対側に張出されている中間部１３、１３の一対をおいて次の左右反対側に張出されている中間部１３、１３にケーブル逸脱防止用線材１６の端部を巻き付け固定部１６ａにて固定してある。
【００１９】
この構造では隣接する中間部１３、１３の上面をカバーしてケーブル逸脱防止用線材１６が設けられているため、その区間のケーブル逸脱防止用線材が設けられている部分
長さにおいては如何なる異常気象でもケーブルが装荷具から逸脱することはなく、また、かかる構造が装荷具の全長に亘り間歇的に設けられていることで、ケーブルの剛性によりケーブル逸脱防止用線材の無い箇所でもケーブルが装荷具から逸脱することはない。
【００２０】
図４〜図６に於いては、隣接する該中間部１３、１３（左右に張り出されている）の一対をおいて離隔し、次の中間部１３、１３相互間にケーブル逸脱防止用線材１６の端部を巻き付けて固定してあるが、図示していないが隣接する中間部１３、１３において図４〜図６と同様にしてケーブル逸脱防止用線材を取り付けた場合は全く効果が無いとは言わないが、中間の螺旋部に至る距離が短く、さほどの効果を期待出来ないことは明らかであろう。
【００２１】
図７に於いては、上記実施例以外の他の一例の斜視図で、メッセンジャーワイヤＷに前記図１〜６にて説明したのと同様なケーブル装荷具が用いられ、ケーブルＣが装荷されている場合を示す斜視図で、ケーブル装荷具１０は左回り螺旋部１１、右回り螺旋部１２、それらの間の中間部１３からなり、該中間部１３は交互に左右に張出されて，長尺の張出し部１３ａ、長尺の張出し部１３ａの両側は螺旋部から変化する曲線状の腕部１３ｂを構成している。Ｃは装荷具に装荷されたケーブルであるが、ケーブルサイズは種々あり、これに限定されるものではない。
この図においては、一つの長尺の張出し部１３ａに、ケーブル逸脱防止用線材１６をループ状にして、図示してないが、螺旋部から想定される円筒の周囲をめぐりその両端を前記長尺の張出し部１３ａに巻き付けて構成している。かかる構成を間歇的に設ければ極めて安全にケーブルの逸脱を防止できることは容易に理解できるであろう。
【００２２】
図８に於いては、上記実施例以外の他の一例の斜視図で、メッセンジャーワイヤＷに前記図１〜６にて説明したのと同様なケーブル装荷具が用いられ、ケーブルＣが装荷されている場合を示す斜視図で、ケーブル装荷具１０は左回り螺旋部１１、右回り螺旋部１２、それらの間の中間部１３からなり、該中間部１３は交互に左右に張出されて，長尺の張出し部１３ａ、長尺の張出し部１３ａの両側は螺旋部から変化する曲線状の腕部１３ｂを構成している。Ｃは装荷具に装荷されたケーブルであるが、ケーブルサイズは種々あり、これに限定されるものではない。
この図においては、特定の一つの長尺の張出し部１３ａと、その両側の螺旋部１１、１２の張出し部１３ａの腕部１３ｂの頂部にかけて、ケーブル逸脱防止用線材１６をループ状にしてその両端はそれぞれ巻き付け固定部１６ａを構成してケーブル逸脱防止をしている。
かかる構成を間歇的に設ければ極めて安全にケーブルの逸脱を防止できることは容易に理解できるであろう。
【００２３】
本発明によるケーブル装架具１０は、鋼線などの高抗張力線もしくはこれに高密度ポリエチレンを被覆してなる線材が用いられる。そして通常直径３．２ｍｍの鋼線にポリエチレンなどの樹脂を被覆したものが用いられている。またケーブル逸脱防止用線材は通常の細い金属線材あるいは天然又は合成繊維などから成る紐、あるいはプラスチック製各種紐でもよいが好ましくは剛性及び耐食性の点から高抗張力線材が適当で、その太さもケーブル装架具自体に用いられているものと同等若しくはやや細い線材で、好ましくはポリエチレンなどの樹脂を被覆したものが用いられる。
ケーブル逸脱防止用線材を用いる場合は通常巻き付けのみで、ケーブル装架具の所望の位置に固定できるが、紐の場合には巻き締め及び必要に応じて接着剤を用いて固定するのが好ましい。
なお、金属線材を銅合金線材やアルミ合金線材でもポリエチレンなどの樹脂を被覆すれば巻き付け部に於ける異種金属に起因する腐食を避けることはできるが、同樹脂被覆が剥離した場合に問題を生じることと、強度の点で高抗張力線材が好ましいと言える。
【００２４】
更に、本発明の実施に際しては、該長尺の張出し部と該螺旋から想定される円筒部との水平間隔を該螺旋部の半径の２倍以上としたことで、ケーブルの左右の幅方向の揺れによる装架具からのケーブルの逸脱を防止することは実験的に効果を確認できたものであるが、幅方向への広がりは、実際の電柱間に於ける装荷を考えると、自ずから限界がある。また、上記水平間隔を該螺旋部の半径未満とした場合は、異常気象などでのケーブルの逸脱防止に若干効果が劣ることが確認されているが、かかる装荷具を用いた場合も本発明の方法を適用することにより一層改善をすることができる。
また、ケーブル装架具全体の長さ寸法は、螺旋を伸張することなく、使用されるものであり、ケーブルＣを架設すべき区間の長さに応じて定められ、１つのケーブルＣを架設すべき区間においては、その区間に張架したメッセンジャーワイヤＷに１つのケーブル装架具１０を取り付ける長さであることが好ましい。
【図面の簡単な説明】
【００２５】
【図１】本発明のケーブル装架具の一例の上面図
【図２】本発明のケーブル装架具の一例の正面図
【図３】図１の矢視方向側面図
【図４】本発明のケーブル装架具の他の一例の上面図
【図５】本発明のケーブル装架具の他の一例の正面図
【図６】図４の矢視方向の側面図
【図７】本発明のケーブル装架具の他の一例の斜視図
【図８】本発明のケーブル装架具のさらに他の一例の斜視図
【符号の説明】
【００２６】
１０    ケーブル装架具
１１    右回り螺旋部
１２    左回り螺旋部
１３ａ    長尺の張出し部
１３ｂ    腕部
１３    中間部
１５    想定される円筒部
１６    ケーブル逸脱防止用線材
１６ａ    巻き付け部
Ｗ    メッセンジャーワイヤ
Ｃ    ケーブル
【図１】
2008032776.tif 000003
【図２】
2008032776.tif 000004
【図３】
2008032776.tif 000005
【図４】
2008032776.tif 000006
【図５】
2008032776.tif 000007
【図６】
2008032776.tif 000008
【図７】
2008032776.tif 000009
【図８】
2008032776.tif 000010
【手続補正書】
【提出日】平成18年9月11日(2006.9.11)
【手続補正１】
【補正対象書類名】特許請求の範囲
【補正対象項目名】全文
【補正方法】変更
【補正の内容】
【特許請求の範囲】
【請求項１】
一連の高抗張力線からなり、螺旋の巻数が同一の交互に設けられた左回り螺旋部と右回り螺旋部と、両螺旋部間において左右交互に張り出される中間部とからなり、該中間部は直線もしくはこれに近似した曲率半径の大きい円弧状曲線からなる長尺の張出し部をその両側の螺旋部から突出する腕部に連接してなるケーブル装架具を用い、メッセンジャーワイヤに架設するとともに、ケーブルを装架した後、
ケーブル逸脱防止用線材を、少なくとも該中間部を包被し、かつ前記複数の螺旋で想定される円筒の外周を包被するするように取り付け、その端部をケーブル装架具に巻き付けて固定することを、該ケーブル装架具の全長において間歇的に設けることを特徴とするケーブル装架具に於けるケーブル逸脱防止方法。
【請求項２】
請求項１記載のケーブル装架具を用い、メッセンジャーワイヤに架設するとともに、ケーブルを装架した後、
長手方向に隣接する左右の異なる側に張出された長尺の張出し部を有する２つの中間部の長尺の張出し部において、
互いに遠い側で螺旋部から突出する腕部にケーブル逸脱防止用線材の端部を巻き付けて固定することを特徴とする請求項１記載のケーブル装架具に於けるケーブル逸脱防止方法。
【請求項３】
請求項１記載のケーブル装架具を用い、メッセンジャーワイヤに架設するとともに、ケーブルを装架した後、
左右の異なる側に張出された長尺の張出し部を有する２つの中間部であって、長手方向に次隣接の左右の中間部に於ける長尺の張出し部にケーブル逸脱防止用線材の端部を巻き付けて固定することを特徴とする請求項１記載のケーブル装架具に於けるケーブル逸脱防止方法。
【請求項４】
請求項１記載のケーブル装架具を用い、メッセンジャーワイヤに架設するとともに、ケーブルを装架した後、
選択された張出し部に、ケーブル逸脱防止用線材を複数の該螺旋部の形成する円弧から想定される円筒部の外側を包被するようにループにしてその両端を巻き付けて固定することを特徴とする請求項１に記載のケーブル装架具に於けるケーブル逸脱防止方法。
【請求項５】
請求項１記載のケーブル装架具を用い、メッセンジャーワイヤに架設するとともに、ケーブルを装架した後、
選択された張出し部に、ケーブルの逸脱防止用線材を複数の該螺旋部の形成する円弧から想定される円筒部の外側を包被するようにループにしてその一端を選択された張出し部に、他の一端をその両側に位置する螺旋部に巻き付けて固定することを特徴とする請求項１に記載のケーブル装架具に於けるケーブル逸脱防止方法。
【手続補正２】
【補正対象書類名】明細書
【補正対象項目名】全文
【補正方法】変更
【補正の内容】
【発明の詳細な説明】
【技術分野】
【０００１】
本発明は、主として電柱間などに架設したメッセンジャーワイヤに取り付けられ、該メッセンジャーワイヤに沿って光ファイバーケーブル、通信ケーブル、電力ケーブル等の各種のケーブルを架設するためのケーブル装架具に於ける装架したケーブルの逸脱防止方法に関するものである。
特に一連の高抗張力線からなり、螺旋の巻数が同一の右回り螺旋部と左回り螺旋部と、両者の間の直線もしくはこれに近似する曲率半径の大きい円弧状曲線からなる軸線と略平行状態の長尺の張出し部を有する中間部とからなり、該中間部が上面から見て長手方向に左右交互に張出して設けられて構成されているケーブル装架具に於ける装架したケーブルの逸脱防止方法に関するものである。
【背景技術】
【０００２】
一般に、光ファイバーケーブル、通信用ケーブル、電力ケーブル等の各種ケーブルを電柱間などの区間に架設する場合は、その区間にメッセンジャーワイヤを架設して、これにケーブルハンガー等のケーブル装架具を取り付け、該ケーブル装架具に架設すべきケーブルを装架することで、該ケーブルを架設することがなされている。
【０００３】
近時ケーブル装架に有利な方法として、左右交互回りの螺旋を利用したケーブル装架具が生み出された。その方法は、主として電柱間などに架設したメッセンジャーワイヤに取り付けられ、該メッセンジャーワイヤに沿って光ファイバーケーブル、通信ケーブル、電力ケーブル等の各種のケーブルを架設するためのケーブル装架具を用いるものであって、特に、左回りの螺旋部と右回りの螺旋部とをＵ字状の反転部を介して左右交互回りの螺旋部を設けることにより、ケーブルの装架が迅速確実に行われる手段として効果が評価されている。
【０００４】
【特許文献１】特開２００５−１６８２８４
【０００５】
引用文献１のような左右交互回り螺旋部を有する螺旋状支持具を用いると、半円弧状（Ｕ字状）の反転部が螺旋巻きの方向を反転させることで、従来のように一方の端から順々にメッセンジャーワイヤを内部に取り込む必要がなく、該半円弧状の反転部を設けることにより、実質的に螺旋部のメッセンジャーワイヤへの取り込み作業が迅速にでき、更に半円弧状の反転部を開いた形状にすれば、引き伸ばすことがなく、架設できること、軸線から見た側面において、左右交互回り螺旋部によって作られる円周の上方に反転部を突出させることで、風圧の影響でケーブルが大きく振れても、該反転部の外側に回り込みにくい旨述べられている。
【０００６】
上記の構成は、異常気象等に対しては一応の効果はあるが、なお不安もあり、別に優れたケーブル装架具の出現が待望された。
【０００７】
これに対して本発明者らが先に生み出した特願２００６―１５５５１７号では、上記反転部を長尺の直線状として張出すことにより、軸線方向の側面で見たときに、該張出し部を螺旋の構成する円弧を基準として想定される円筒より離隔することで、装架されたケーブルが異常気象で踊り出し装架具より逸脱するのを防止することが試みられ、一応の成果を収めている。
【発明の開示】
【発明が解決しようとする課題】
【０００８】
しかし、なおより簡単で、ケーブルが異常気象で踊り出し、装荷具より逸脱するのをより確実に防止する手段の出現は待望されるところである。
【課題を解決するための手段】
【０００９】
本発明は上記問題点を解決するために、鋭意検討の結果なされたもので、
請求項１の発明は、
一連の高抗張力線からなり、螺旋の巻数が同一の交互に設けられた左回り螺旋部と右回り螺旋部と、両螺旋部間において左右交互に張り出される中間部とからなり、該中間部は直線もしくはこれに近似した曲率半径の大きい円弧状曲線からなる長尺の張出し部をその両側の螺旋部から突出する腕部に連接してなるケーブル装架具を用い、メッセンジャーワイヤに架設するとともに、ケーブルを装架した後、
ケーブル逸脱防止用線材を、少なくとも該中間部を包被し、かつ前記複数の螺旋で想定される円筒の外周を包被するするように取り付け、その端部をケーブル装架具に巻き付けて固定することを、該ケーブル装架具の全長において間歇的に設けることを特徴とするケーブル装架具に於けるケーブル逸脱防止方法である。
【００１０】
請求項２の発明は、
請求項１記載のケーブル装架具を用い、メッセンジャーワイヤに架設するとともに、ケーブルを装架した後、
長手方向に隣接する左右の異なる側に張出された長尺の張出し部を有する２つの中間部の長尺の張出し部において、
互いに遠い側で螺旋部から突出する腕部にケーブル逸脱防止用線材の端部を巻き付けて固定することを特徴とする請求項１記載のケーブル装架具に於けるケーブル逸脱防止方法である。
【００１１】
請求項３の発明は、
請求項１記載のケーブル装架具を用い、メッセンジャーワイヤに架設するとともに、ケーブルを装架した後、
左右の異なる側に張り出された長尺の張出し部を有する２つの中間部であって、長手方向に次隣接の左右の中間部に於ける長尺の張出し部にケーブル逸脱防止用線材の端部を巻き付けて固定することを特徴とする請求項１記載のケーブル装架具に於けるケーブル逸脱防止方法である。
【００１２】
請求項４の発明は、
請求項１記載のケーブル装架具を用い、メッセンジャーワイヤに架設するとともに、ケーブルを装架した後、
選択された張出し部に、ケーブルの逸脱防止用線材を複数の該螺旋部の形成する円弧から想定される円筒部の外側を包被するようにループにしてその両端を巻き付けて固定することを特徴とする請求項１に記載のケーブル装架具に於けるケーブル逸脱防止方法である。
【００１３】
請求項５の発明は、
請求項１記載のケーブル装架具を用い、メッセンジャーワイヤに架設するとともに、ケーブルを装架した後、
選択された張出し部に、ケーブルの逸脱防止用線材を複数の該螺旋部の形成する円弧から想定される円筒部の外側を包被するようにループにしてその一端を選択された張出し部に、他の一端をその両側に位置する螺旋部に巻き付けて固定することを特徴とする請求項１に記載のケーブル装架具に於けるケーブルの逸脱防止方法である。
【発明の効果】
【００１４】
本発明のケーブル装架具のケーブル逸脱防止方法によれば、右回り螺旋部、左回り螺旋部の間に、直線もしくはこれに近似する曲率半径の大きい円弧状曲線からなる長尺の張出し部を有する中間部としたケーブル装架具であっても、一応のケーブル逸脱防止効果が認められるが、なお、装架するケーブルのサイズや本数などによっては、異常風圧や異常振動などの原因によるケーブルの揺動、跳躍などで、該長尺の張出し部を乗り越えてケーブルが逸脱することが懸念されるが、本発明は全くその懸念を解消するものである。
【００１５】
すなわち、上記のようなケーブル装荷具を用いてメッセンジャーワイヤに架設し、ケーブルを装架する場合に、
別の線材例えば高抗張力線をケーブル逸脱防止用線材として用い、前記複数の螺旋で想定される円筒の外周を包被するように掛け渡して、その端部を該中間部の長尺の張出し部を包被するようにして巻き付けてケーブル装架具に固定する構成は、長尺の張出し部の有するケーブル逸脱防止機能に加えて、なお、ケーブルがスネーク状態に踊り出し、中間部より逸脱するのをより完全に防止できるものである。
【発明を実施するための最良の形態】
【００１６】
本発明によるケーブル装架具に於けるケーブル逸脱防止方法を実施するための最良の形態について、図面を参照しつつ詳細に説明する。図１〜図２、図４〜図５における矢印は本図に於ける螺旋の回り方向を定めるために矢視方向を示したものである。
【００１７】
図１〜図３は本発明によるケーブル装架具１０に於けるケーブルの逸脱防止構造の一例で、ケーブル装架具１０の基本構造は、右回り螺旋部１１、左回り螺旋部１２の間には中間部１３が、左回り螺旋部１２と右回り螺旋部１１の間には中間部１３が設けられ、該中間部１３は中央に長尺の張出し部１３ａを有し，その両側は螺旋部から伸長する張出し用腕部１３ｂ、１３ｂを有している。
図において、隣接する該中間部１３、１３は互いに遠い側で螺旋部から伸長する張出し用腕部１３ｂ、１３ｂに、ケーブル逸脱防止用線材１６の端部を巻き付けて巻付け部１６ａを構成して固定してある。
このケーブル逸脱防止用線材１６は、図３で理解できるように、螺旋部により想定される円筒１５の外方向にカーブして取り付けられ、螺旋部内にあるケーブルが異常気象などで踊り出すことがあっても、螺旋の無い中間部が広角に構成されていることから、その中間部の長尺の張出し部１３ａ，１３ａからケーブルが逸脱しにくい本質的構造に加えて、かかる構造でもなおかつ危惧される非常に大きい異常気象等によるケーブルの踊り出し傾向があっても、前記ケーブル逸脱防止用線材１６により、ケーブルが該長尺の張出し部を越えて外部に逸脱するのを防止できる。
また、この構造はケーブル装架具の全長のうち、所定の箇所に間歇的に設ければ、ケーブルが局部的に異常屈曲することはありえないので、全長に於けるケーブル装架具のケーブル逸脱防止に寄与することができる。
【００１８】
図４〜図６は本発明によるケーブル装架具１０のケーブル逸脱防止構造の一例で、右回り螺旋部１１、左回り螺旋部１２、右回り螺旋部１１と左回り螺旋部１２の間の長尺の中間部１３、左回り螺旋部１２と右回り螺旋部１１の間の長尺の中間部１３を有し，隣接する該左右反対側に張出されている中間部１３、１３の一対をおいて次の左右反対側に張出されている中間部１３、１３にケーブル逸脱防止用線材１６の端部を巻き付け固定部１６ａにて固定してある。
【００１９】
この構造では隣接する中間部１３、１３の上面をカバーしてケーブル逸脱防止用線材１６が設けられているため、その区間のケーブル逸脱防止用線材が設けられている部分
長さにおいては如何なる異常気象でもケーブルが装架具から逸脱することはなく、また、かかる構造が装架具の全長に亘り間歇的に設けられていることで、ケーブルの剛性によりケーブル逸脱防止用線材の無い箇所でもケーブルが装架具から逸脱することはない。
【００２０】
図４〜図６に於いては、隣接する該中間部１３、１３（左右に張り出されている）の一対をおいて離隔し、次の中間部１３、１３相互間にケーブル逸脱防止用線材１６の端部を巻き付けて固定してあるが、図示していないが隣接する中間部１３、１３において図４〜図６と同様にしてケーブル逸脱防止用線材を取り付けた場合は全く効果が無いとは言わないが、中間の螺旋部に至る距離が短く、さほどの効果を期待出来ないことは明らかであろう。
【００２１】
図７に於いては、上記実施例以外の他の一例の斜視図で、メッセンジャーワイヤＷに前記図１〜６にて説明したのと同様なケーブル装架具が用いられ、ケーブルＣが装架されている場合を示す斜視図で、ケーブル装架具１０は左回り螺旋部１１、右回り螺旋部１２、それらの間の中間部１３からなり、該中間部１３は交互に左右に張出されて，長尺の張出し部１３ａ、長尺の張出し部１３ａの両側は螺旋部から変化する曲線状の腕部１３ｂを構成している。Ｃは装架具に装架されたケーブルであるが、ケーブルサイズは種々あり、これに限定されるものではない。
この図においては、一つの長尺の張出し部１３ａに、ケーブル逸脱防止用線材１６をループ状にして、図示してないが、螺旋部から想定される円筒の周囲をめぐりその両端を前記長尺の張出し部１３ａに巻き付けて構成している。かかる構成を間歇的に設ければ極めて安全にケーブルの逸脱を防止できることは容易に理解できるであろう。
【００２２】
図８に於いては、上記実施例以外の他の一例の斜視図で、メッセンジャーワイヤＷに前記図１〜６にて説明したのと同様なケーブル装架具が用いられ、ケーブルＣが装架されている場合を示す斜視図で、ケーブル装架具１０は左回り螺旋部１１、右回り螺旋部１２、それらの間の中間部１３からなり、該中間部１３は交互に左右に張出されて，長尺の張出し部１３ａ、長尺の張出し部１３ａの両側は螺旋部から変化する曲線状の腕部１３ｂを構成している。Ｃは装架具に装架されたケーブルであるが、ケーブルサイズは種々あり、これに限定されるものではない。
この図においては、特定の一つの長尺の張出し部１３ａと、その両側の螺旋部１１、１２の張出し部１３ａの腕部１３ｂの頂部にかけて、ケーブル逸脱防止用線材１６をループ状にしてその両端はそれぞれ巻き付け固定部１６ａを構成してケーブル逸脱防止をしている。
かかる構成を間歇的に設ければ極めて安全にケーブルの逸脱を防止できることは容易に理解できるであろう。
【００２３】
本発明によるケーブル装架具１０は、鋼線などの高抗張力線もしくはこれに高密度ポリエチレンを被覆してなる線材が用いられる。そして通常直径３．２ｍｍの鋼線にポリエチレンなどの樹脂を被覆したものが用いられている。またケーブル逸脱防止用線材は通常の細い金属線材あるいは天然又は合成繊維などから成る紐、あるいはプラスチック製各種紐でもよいが好ましくは剛性及び耐食性の点から高抗張力線材が適当で、その太さもケーブル装架具自体に用いられているものと同等若しくはやや細い線材で、好ましくはポリエチレンなどの樹脂を被覆したものが用いられる。
ケーブル逸脱防止用線材を用いる場合は通常巻き付けのみで、ケーブル装架具の所望の位置に固定できるが、紐の場合には巻き締め及び必要に応じて接着剤を用いて固定するのが好ましい。
なお、金属線材を銅合金線材やアルミ合金線材でもポリエチレンなどの樹脂を被覆すれば巻き付け部に於ける異種金属に起因する腐食を避けることはできるが、同樹脂被覆が剥離した場合に問題を生じることと、強度の点で高抗張力線材が好ましいと言える。
【００２４】
更に、本発明の実施に際しては、該長尺の張出し部と該螺旋から想定される円筒部との水平間隔を該螺旋部の半径の２倍以上としたことで、ケーブルの左右の幅方向の揺れによる装架具からのケーブルの逸脱を防止することは実験的に効果を確認できたものであるが、幅方向への広がりは、実際の電柱間に於ける装架を考えると、自ずから限界がある。また、上記水平間隔を該螺旋部の半径未満とした場合は、異常気象などでのケーブルの逸脱防止に若干効果が劣ることが確認されているが、かかる装架具を用いた場合も本発明の方法を適用することにより一層改善をすることができる。
また、ケーブル装架具全体の長さ寸法は、螺旋を伸張することなく、使用されるものであり、ケーブルＣを架設すべき区間の長さに応じて定められ、１つのケーブルＣを架設すべき区間においては、その区間に張架したメッセンジャーワイヤＷに１つのケーブル装架具１０を取り付ける長さであることが好ましい。
【図面の簡単な説明】
【００２５】
【図１】本発明のケーブル装架具の一例の上面図
【図２】本発明のケーブル装架具の一例の正面図
【図３】図１の矢視方向側面図
【図４】本発明のケーブル装架具の他の一例の上面図
【図５】本発明のケーブル装架具の他の一例の正面図
【図６】図４の矢視方向の側面図
【図７】本発明のケーブル装架具の他の一例の斜視図
【図８】本発明のケーブル装架具のさらに他の一例の斜視図
【符号の説明】
【００２６】
１０    ケーブル装架具
１１    右回り螺旋部
１２    左回り螺旋部
１３ａ  長尺の張出し部
１３ｂ  腕部
１３    中間部
１５    想定される円筒部
１６    ケーブル逸脱防止用線材
１６ａ  巻き付け部
Ｗ      メッセンジャーワイヤ
Ｃ      ケーブル